(57)【特許請求の範囲】
【請求項１】
遊技機の盤面に取り付けられるベース体と、そのベース体の前面に装着されかつ着色等の変化を持たせた装着体とを有する遊技機の遊技部品であって、
前記ベース体には、前記盤面に沿わせる鍔状の周縁部が形成されるとともに、
前記ベース体の鍔状の周縁部の前面側に凹陥部が形成されかつその凹陥部に塗料による着色を施した彩色部が設けられており、
前記装着体の周縁部には、前記ベース体の周縁部の彩色部を被う透光性のカバー部が鍔状に設けられており、
前記装着体の鍔状のカバー部は、その周縁から中央に向かって肉が厚くなるように前面側が膨らんだ凸レンズを形成しており、
前記ベース体の鍔状の周縁部の彩色部の外周形状と前記装着体の鍔状のカバー部の外周形状とを、同一形状として合致させた
遊技機の遊技部品。
【発明の詳細な説明】
【０００１】
【発明の属する技術分野】
本発明は、遊技機の盤面に配設される遊技部品に関し、詳しくは、遊技部品に施した彩色部を保護するとともに装飾効果を高める技術に関する。
【０００２】
【従来の技術】
従来、パチンコ機等の遊技機の盤面に配設される遊技部品（例えば、ゲート類、可変入賞球装置、表示装置、照明装飾部品等）においては、装飾効果を高めるために、盤面に取り付けられるベース部材の周縁部の前面側に凹陥部を形成し、その凹陥部に適宜な塗料を流し込んで着色や色分けを施すことが多い。
【０００３】
【発明が解決しようとする課題】
ところが上記の方法で形成した装飾面は、塗料を流し込んだ部分に遊技球が直接当たり、また、清掃時に表面が擦られるために塗料の傷みやはげ落ちが避けられない。
この不都合を回避するための方策としては、遊技部品のベース部材を透明材で形成してその背面側に凹陥部を設けるとともに、この凹陥部に塗料による色入れを施して彩色部を形成することが考えられる。
しかしながら、この方法では、ベース部材を部分的に透明にすることができないからベース部材の全体的な色調や質感に制約を受ける。また、凹陥部の周りに彩色されない部分ができ、彩色部が平面的で立体感に乏しくなり勝ちであるなど装飾効果の上で問題があった。
【０００４】
本発明は上記の事情に鑑みてなされたもので、その目的とするところは、遊技機の盤面に配設される遊技部品の彩色部を保護するとともに、その彩色部の装飾効果をさらに高めて見栄えの良いものにすることである。
【０００５】
【課題を解決するための手段】
このために、以下のような遊技機の遊技部品を創作した。すなわち、第１の発明は、
遊技機の盤面に取り付けられるベース体と、そのベース体の前面に装着されかつ着色等の変化を持たせた装着体とを有する遊技機の遊技部品であって、
前記ベース体には、前記盤面に沿わせる鍔状の周縁部が形成されるとともに、
前記ベース体の鍔状の周縁部の前面側に凹陥部が形成されかつその凹陥部に塗料による着色を施した彩色部が設けられており、
前記装着体の周縁部には、前記ベース体の周縁部の彩色部を被う透光性のカバー部が鍔状に設けられており、
前記装着体の鍔状のカバー部は、その周縁から中央に向かって肉が厚くなるように前面側が膨らんだ凸レンズを形成しており、
前記ベース体の鍔状の周縁部の彩色部の外周形状と前記装着体の鍔状のカバー部の外周形状とを、同一形状として合致させた
ことを特徴とする。
遊技部品とは、遊技機の盤面に配設される部品であって、例えば、ゲート類、可変入賞球装置、表示装置、照明装飾部品等をいう。
【０００６】
この遊技部品では、ベース体の周縁部の彩色部が装着体のカバー部で被われるので、彩色部に遊技球が接触することが無く、塗料のはげ落ちや汚れの付着が防がれる。また、カバー部によって彩色部に立体感をもたせることができる。
上記のカバー部は、視覚（色彩的）効果を高めるべく、その周縁から中央に向かって肉が厚くなるように前面側が膨らんだ凸レンズを形成している。なお、カバー部の材料は、透明のもの、又は着色されていても良いが透光性を有するものを使用する。
また、彩色部が同じ外周形状のカバー部で被われるので、カバー部の周縁部を通る光の屈折や反射によって彩色部の周縁部を美しく際立たせることが可能になる。
【０００８】
【発明の実施の形態】
以下、本発明の実施形態を図に基づいて説明する。
〔第１実施形態〕
図１は、遊技機（具体的にはパチンコ機）の盤面に配設される遊技部品である入賞チャッカーを斜め前から見た斜視図、図２は入賞チャッカーを斜め後から見た斜視図、図３は入賞チャッカーの分解斜視図、図４は入賞チャッカーの正面図である。図１〜図４に示すように、入賞チャッカー１は、パチンコ機の盤面に取り付けるためのベース体２と、ベース体２の前面に装着されて盤面に突出した入賞球受口となる装着体３とから構成される。
【０００９】
ベース体２は、合成樹脂にて図示形状に成形されたもので、遊技機の盤面に沿わせる鍔状の周縁部２ａに取付孔２ｂが形成され、周縁部２ａの上部には遊技球が通過できる大きさのＵ字状の切欠部２ｃが形成されていてそこから遊技機内に向かって延びる断面Ｕ字状の案内樋２ｄが延設されている。このベース体２の中央孔２ｅにベース体２の背面側からランプ４ａを挿通させた状態でランプ基板４ｂがベース体２の背面に止めねじ４ｃにて取り付けられている。そして、周縁部２ａの表面には、略三日月形状の凹陥部が０．５mm程度の深さに設けられ、この凹陥部に塗料が塗布又は流し込まれて彩色部５が形成されている。
【００１０】
装着体３は、ランプ４ａに被せるインナーレンズ６とアウターレンズ体７とからなり、アウターレンズ体７の本体部７ａにインナーレンズ６をはめ込んだうえでベース体２の背面から孔２ｈに差し込んだ皿小ねじ３ａでアウターレンズ体７を固定する構造となっている。インナーレンズ６とアウターレンズ体７は透光性のある合成樹脂で成形されており、ランプ４ａの光に着色等の変化を持たせるようになっている。
このアウターレンズ体７にはその上部に受口部７ｂが一体に形成されている。受口部７ｂは盤面に沿って落下する遊技球（パチンコ球）のうち受口７ｃに入ったものを案内樋２ｄに流入させるためのもので、その内側には案内リブ７ｄ（図２参照）が設けられている。
さらに、アウターレンズ体７には、彩色部５とほぼ同一平面形状の鍔状のカバー部７ｅが形成されている。本例の場合、カバー部７ｅは、図５参照、周縁から中央に向かって肉が厚くなるように上面が膨らんだ凸レンズを形成している。なお、このカバー部７ｅは、彩色部５の外周形状と、その部分を被うカバー部７ｅの外周形状とがちょうど合致する位置に組み立てられる。
なお、図３中の２ｉは位置決め用の穴であり、７ｆはその穴にはめ込むアウターレンズ体７側の突起である。また、図２中の２ｊは遊技機の盤面に取り付けるときの位置決め用の突起である。
【００１１】
上記のように形成された入賞チャッカー１は、受口７ｃに入った遊技球を案内樋２ｄから所定の位置に排出する機能を有するほか、ベース体２の彩色部５が比較的薄肉のカバー部７ｅで被われているので、装着体３の側部（カバー部７ｅの上）を頻繁に遊技球が通っても遊技球は彩色部５に接触しない。したがって、塗料のはげ落ちや汚れの付着がなく、従来のように盤面の清掃時に、彩色部５に付着している汚れを取るために擦られて彩色部５の塗料が傷むことが防がれる。
しかも、彩色部５とカバー部７ｅの外周形状（輪郭）がほぼ同じであるので、カバー部７ｅの周縁部を通る光の屈折や反射によって彩色部５の周縁部を美しく際立たせることが可能になる。
【００１２】
〔第２実施形態〕
図６は、遊技機の盤面に配設される遊技部品であるサイドランプ（照明装置）の斜視図、図７はサイドランプの正面図、図８はサイドランプの分解斜視図である。図６〜図８に示すように、サイドランプ１１は、遊技機の盤面に取り付けるためのベース体１２と、ベース体１２の前面に装着されて盤面に突出した照明体となる装着体１３とから構成される。
【００１３】
ベース体１２は、上下両端部に取付孔１２ｂが形成され、側縁部に弓形の凹陥部が０．５mm程度の深さに凹設され、この凹陥部に塗料等で着色がなされて彩色部１５が形成されている。そして、このベース体１２の挿通孔１２ｅにベース体１２の背面側からランプ１４ａを挿通させた状態でランプ基板１４ｂがベース体１２の背面に取り付けられている。
【００１４】
装着体１３は、ランプ１４ａに被せるインナーレンズ１６ａ，１６ｂ，１６ｃとアウターレンズ体１７及びカバー枠１８とからなり、アウターレンズ体１７にインナーレンズ１６ａ〜１６ｃをはめ込み、アウターレンズ体１７の外周部に係合させた状態のカバー枠１８をベース体１２の背面から孔１２ｈに差し込んだ皿小ねじ１３ａで固定する構造となっている。インナーレンズ１６ａ〜１６ｃとアウターレンズ体１７とカバー枠１８は透光性のある合成樹脂で成形されており、ランプ１４ａの光に着色等の変化を持たせるようになっている。
【００１５】
さらに、アウターレンズ体１７には、彩色部１５とほぼ同一平面形状の鍔状のカバー部１７ｅが形成されている。この場合、カバー部１７ｅは、図９参照、中央から周縁に向かって肉が薄くなる凸レンズを形成している。なお、このカバー部１７ｅは、彩色部１５の外周形状と、その部分を被うカバー部１７ｅの外周形状とがちょうど合致する位置に組み立てられる。
【００１６】
上記のように形成されたサイドランプ１１は、彩色部１５をカバー部１７ｅで被うという点については、第１実施形態に係る入賞チャッカー１と同様の構成であり、同様の作用効果を奏する。すなわち、彩色部１５の塗料のはげ落ちや汚れの付着がなく、盤面の清掃時に擦られて塗料が傷むことが防がれる。しかも、カバー部１７ｅの周縁部を通る光の屈折や反射によって彩色部１５の周縁部を美しく際立たせることが可能になる。
【００１７】
ところで、遊技盤の盤面に入賞チャッカー１やサイドランプ１１を複数配置する場合、アウターレンズ体７，１７のカバー部７ｅ，１７ｅについて着色や表面形状が異なるものを用意することによって、同一部品でもそれぞれの色合いや色彩効果を変えることができる。
この他、当業者の知識に基づき、種々の変更を加えた態様で本発明を実施し得ることは勿論である。
【００１８】
【発明の効果】
本発明の遊技部品によれば、ベース体の鍔状の周縁部に施した彩色部が装着体の周縁部の鍔状のカバー部によって保護されるとともに、その彩色部の装飾効果がさらに高められるという効果がある。
【図面の簡単な説明】
【図１】第１実施形態に係る入賞チャッカーを斜め前から見た斜視図である。
【図２】第１実施形態に係る入賞チャッカーを斜め後から見た斜視図である。
【図３】第１実施形態に係る入賞チャッカーの分解斜視図である。
【図４】第１実施形態に係る入賞チャッカーの正面図である。
【図５】図１のＶ−Ｖ線断面図である。
【図６】第２実施形態に係るサイドランプを斜め前から見た斜視図である。
【図７】第２実施形態に係るサイドランプの正面図である。
【図８】第２実施形態に係るサイドランプの分解斜視図である。
【図９】図７のＩＸ−ＩＸ線断面図である。
【符号の説明】
１  入賞チャッカー（遊技部品）
２  ベース体
３  装着体
５  彩色部
６  インナーレンズ
７  アウターレンズ体
７ｅ  カバー部
【図１】
0003761722.tif 000002
【図２】
0003761722.tif 000003
【図３】
0003761722.tif 000004
【図４】
0003761722.tif 000005
【図５】
0003761722.tif 000006
【図６】
0003761722.tif 000007
【図７】
0003761722.tif 000008
【図８】
0003761722.tif 000009
【図９】
0003761722.tif 000010